(57)【要約】      （修正有）【課題】放送番組内で告知される懸賞情報を容易に把握できると共に、当該懸賞に簡単に応募する。【解決手段】放送局１０（放送送信装置）から送出される放送波で告知される懸賞を、ＩＰ通信網８０（他の通信手段）を介して応募を受け付ける放送局サーバ６０（懸賞応募受付装置）であって、懸賞に関する情報が記憶されている懸賞関連情報記憶部、懸賞に応募するための懸賞応募情報をＩＰ通信網８０を介して受信する懸賞応募情報受信部、懸賞が申し込み期間内であるか否かを懸賞関連情報記憶部を参照して判定する申し込み期間判定部、懸賞が申し込み期間内であると判定されたときに、懸賞応募情報を懸賞関連情報記憶部に記憶すると共に、懸賞の応募期間が経過するまで懸賞の応募を受け付ける懸賞応募受付部、すべての懸賞応募情報を放送局１０へ送信する懸賞応募情報送信部とを備えた放送局サーバ６０とする。【選択図】図１
2010206309.tif 000002
【特許請求の範囲】
【請求項１】
放送送信装置から送出される放送波で告知される懸賞に上記放送波以外の他の通信手段で上記懸賞への応募を受け付ける懸賞応募受付装置であって、
上記懸賞に関する情報が記憶されている懸賞関連情報記憶部と、
上記懸賞に応募するための懸賞応募情報を上記放送波以外の他の通信手段を介して受信する懸賞応募情報受信部と、
上記懸賞応募情報受信部で受信した懸賞が申し込み期間内であるか否かを上記懸賞関連情報記憶部を参照して判定する申し込み期間判定部と、
上記申し込み期間判定部で、応募のあった上記懸賞が申し込み期間内であると判定されたときは、上記懸賞応募情報を上記懸賞関連情報記憶部に記憶すると共に、上記懸賞の応募期間が経過するまで上記懸賞の応募を受け付ける懸賞応募受付部と、
上記懸賞の応募期間の経過後に上記懸賞応募受付部で受け付けたすべての懸賞応募情報を上記放送送信装置へ送信する懸賞応募情報送信部と、
を備えたことを特徴とする懸賞応募受付装置。
【請求項２】
請求項１に記載の懸賞応募受付装置において、
前記懸賞応募情報を送信してきたユーザ毎のユーザ情報を管理するユーザ情報管理部を備え、
前記懸賞応募情報送信部は、
前記懸賞応募情報を送信してきたユーザのそれぞれを識別できる特定情報を生成して前記懸賞関連情報記憶部に記憶すると共に、前記懸賞の応募期間の経過後に生成されたすべての上記特定情報を前記放送送信装置へ送信することを特徴とする懸賞応募受付装置。
【請求項３】
請求項２に記載の懸賞応募受付装置において、
前記ユーザ情報管理部を参照して前記懸賞応募情報を送信してきた上記ユーザの属性情報を抽出するユーザ情報抽出部を備え、
前記懸賞応募情報送信部は、
前記特定情報と上記ユーザ情報抽出部で抽出された上記ユーザの属性情報とを、前記懸賞の応募期間の経過後に前記放送送信装置へ送信することを特徴とする懸賞応募受付装置。
【請求項４】
請求項２または請求項３に記載の懸賞応募受付装置から懸賞応募情報を受信する放送送信装置であって、
前記懸賞応募受付装置から送信された前記特定情報から前記懸賞の当選者を決定し、
前記懸賞の当選者に対応する前記特定情報を前記懸賞応募受付装置に送信することを特徴とする放送送信装置。
【請求項５】
請求項２または請求項３に記載の懸賞応募受付装置であって、
請求項４に記載の放送送信装置から送信されてきた当選者に対応する前記特定情報と、前記懸賞関連情報記憶部に記憶されている特定情報とを照合することで、前記懸賞の当選者であるユーザを特定する懸賞当選者特定部と、
前記懸賞の当選者および非当選者に該当する各ユーザに対して前記放送波以外の他の通信手段を介して前記懸賞の当落結果を通知する当落結果通知部と、
を備えたことを特徴とする懸賞応募受付装置。
【請求項６】
放送送信装置から送出される放送波で告知される懸賞に上記放送波以外の他の通信手段で上記懸賞への応募を受け付ける懸賞応募受付装置に用いられる懸賞応募受付方法であって、
上記懸賞に関する情報を記憶する懸賞関連情報記憶ステップと、
上記懸賞に応募するための懸賞応募情報を上記放送波以外の他の通信手段を介して受信する懸賞応募情報受信ステップと、
上記放送波以外の他の通信手段を介して応募のあった上記懸賞が申し込み期間内であるか否かを判定する申し込み期間判定ステップと、
上記申し込み期間判定ステップで、応募のあった上記懸賞が申し込み期間内であると判定されたときは、上記懸賞応募情報を記憶すると共に、上記懸賞の応募期間が経過するまで上記懸賞の応募を受け付ける懸賞応募受付ステップと、
上記懸賞の応募期間の経過後に上記懸賞応募受付ステップで受け付けたすべての懸賞応募情報を上記放送送信装置へ送信する懸賞応募情報送信ステップと、
を有することを特徴とする懸賞応募受付方法。
【請求項７】
コンピュータを、放送送信装置から送出される放送波で告知される懸賞に上記放送波以外の他の通信手段で上記懸賞への応募を受け付ける懸賞応募受付装置として機能させるための懸賞応募受付プログラムであって、
コンピュータを、
上記懸賞に関する情報が記憶されている懸賞関連情報記憶手段、
上記懸賞に応募するための懸賞応募情報を上記放送波以外の他の通信手段を介して受信する懸賞応募情報受信手段、
上記懸賞応募情報受信手段で受信した懸賞が申し込み期間内であるか否かを上記懸賞関連情報記憶手段を参照して判定する申し込み期間判定手段、
上記申し込み期間判定手段で、応募のあった上記懸賞が申し込み期間内であると判定されたときは、上記懸賞応募情報を上記懸賞関連情報記憶手段に記憶すると共に、上記懸賞の応募期間が経過するまで上記懸賞の応募を受け付ける懸賞応募受付手段、
上記懸賞の応募期間の経過後に上記懸賞応募受付手段で受け付けたすべての懸賞応募情報を上記放送送信装置へ送信する懸賞応募情報送信手段、
として機能させるための懸賞応募受付プログラム。
【請求項８】
放送波でコンテンツを配信する放送送信装置と、
上記放送送信装置から送出される上記放送波で告知される懸賞を受信すると共に、上記放送波以外の他の通信手段を介して上記懸賞へ応募する放送受信装置と、
上記放送受信装置から上記放送波以外の他の通信手段を介して上記懸賞への応募を受け付ける懸賞応募受付装置と、
を少なくとも備えた懸賞応募システムであって、
上記懸賞応募受付装置は、
上記懸賞に関する情報が記憶されている懸賞関連情報記憶部と、
上記放送受信装置から上記懸賞に応募するための懸賞応募情報を上記放送波以外の他の通信手段を介して受信する懸賞応募情報受信部と、
上記懸賞応募情報受信部で受信した懸賞が申し込み期間内であるか否かを上記懸賞関連情報記憶部を参照して判定する申し込み期間判定部と、
上記申し込み期間判定部で、応募のあった上記懸賞が申し込み期間内であると判定されたときは、上記懸賞応募情報を上記懸賞関連情報記憶部に記憶すると共に、上記懸賞の応募期間が経過するまで上記懸賞の応募を受け付ける懸賞応募受付部と、
上記懸賞の応募期間の経過後に上記懸賞応募受付部で受け付けたすべての懸賞応募情報を上記放送送信装置へ送信する懸賞応募情報送信部と、
を備えたことを特徴とする懸賞応募システム。 
【発明の詳細な説明】
【技術分野】
【０００１】
本発明は、懸賞応募受付装置、放送送信装置、懸賞応募受付方法、懸賞応募受付プログラム、並びに懸賞応募受付システムに関する。
【背景技術】
【０００２】
近年、地上デジタル放送やＢＳ（Ｂｒｏａｄｃａｓｔｉｎｇ  ｓａｔｅｌｌｉｔｅ）などのデジタル放送において、放送する番組内容を示す電子番組表（ＥＰＧ：Ｅｌｅｃｔｒｏｎｉｃ  Ｐｒｏｇｒａｍ  Ｇｕｉｄｅ、以下、単に「ＥＰＧ」という）が知られている。このＥＰＧ情報を活用することで、視聴者側の利便性を高めるべく、様々な提案がなされている。たとえば、このＥＰＧ情報を用いて、提供される番組連動型の放送データのみ予約印刷する、または番組の動画データとは独立して別々に予約印刷することが提案されている（特許文献１参照）。
【０００３】
また、このＥＰＧ情報を用いて、車載型のデジタル放送受信機で番組を視聴する際に、視聴者毎にグループ分けされた固有の電子番組表を表示させると共に、受信感度に応じた情報を当該固有の電子番組表に反映させることが提案されている（特許文献２参照）。
【０００４】
また、ＡＤＭＳ（ＴＶ−Ａｓａｈｉ  Ｄａｔａ  Ａｎｄ  Ｍｕｌｔｉｍｅｄｉａ  Ｓｅｒｖｉｃｅ）−ＥＰＧやｉＥＰＧなど、ＥＰＧ情報をインターネット経由で提供するものも知られており、インターネット経由で受信したＥＰＧ情報と放送波から受信したＥＰＧ情報とを受信した場合の制御についての提案もなされている（特許文献３参照）。
【先行技術文献】
【特許文献】
【０００５】
【特許文献１】特開２００７−２３５６３９号公報（要約、段落[００１３]等）
【特許文献２】特開２００７−８９２２０号公報（要約、段落[０００７]等）
【特許文献３】特開２００８−２５２４４７号公報（要約等）
【発明の概要】
【発明が解決しようとする課題】
【０００６】
しかしながら、特許文献１〜３に開示される技術では、視聴者は、たとえば放送が予定されている番組内で懸賞やプレゼントの告知がある場合に、その事実を知ることができない。また、視聴者は、番組内で懸賞の告知がある場合に、その懸賞の応募期間がたとえば番組放送中だけのリアルタイム性の高いものであるとか、応募締め切りがいつまでといった情報を知ることができない。また、番組を録画予約する際にも、録画予約をしようとする人は、当該予約をしようとしている番組についての懸賞の有無、更には懸賞がある場合の応募期間などの情報を知ることができない。したがって、録画した番組を後で視聴する際に、懸賞に応募したくても、懸賞の応募期間が経過しており、懸賞に応募できない場合もある。また、懸賞がある番組を視聴している最中に当該懸賞に簡単に応募することができない。
【０００７】
そこで、本発明は、上述した課題に鑑み、放送番組内で告知される懸賞情報を容易に把握できると共に、当該懸賞に簡単に応募することができる懸賞応募受付装置、放送送信装置、懸賞応募受付方法、懸賞応募受付プログラム、並びに懸賞応募受付システムを提供することを目的とする。
【課題を解決するための手段】
【０００８】
本発明の一側面である懸賞応募受付装置は、放送送信装置から送出される放送波で告知される懸賞に放送波以外の他の通信手段で懸賞への応募を受け付ける懸賞応募受付装置であって、懸賞に関する情報が記憶されている懸賞関連情報記憶部と、懸賞に応募するための懸賞応募情報を放送波以外の他の通信手段を介して受信する懸賞応募情報受信部と、懸賞応募情報受信部で受信した懸賞が申し込み期間内であるか否かを懸賞関連情報記憶部を参照して判定する申し込み期間判定部と、申し込み期間判定部で、応募のあった懸賞が申し込み期間内であると判定されたときは、懸賞応募情報を懸賞関連情報記憶部に記憶すると共に、懸賞の応募期間が経過するまで懸賞の応募を受け付ける懸賞応募受付部と、懸賞の応募期間の経過後に懸賞応募受付部で受け付けたすべての懸賞応募情報を放送送信装置へ送信する懸賞応募情報送信部と、を備えたものである。
【０００９】
また、本発明の一側面である懸賞応募受付装置は、上述した構成に加えて、懸賞応募情報を送信してきたユーザ毎のユーザ情報を管理するユーザ情報管理部を備え、懸賞応募情報送信部は、懸賞応募情報を送信してきたユーザのそれぞれを識別できる特定情報を生成して懸賞関連情報記憶部に記憶すると共に、懸賞の応募期間の経過後に生成されたすべての特定情報を放送送信装置へ送信することが好ましい。
【００１０】
また、本発明の一側面である懸賞応募受付装置は、上述した構成に加えて、ユーザ情報管理部を参照して懸賞応募情報を送信してきたユーザの属性情報を抽出するユーザ情報抽出部を備え、懸賞応募情報送信部は、特定情報とユーザ情報抽出部で抽出されたユーザの属性情報とを、懸賞の応募期間の経過後に放送送信装置へ送信することが好ましい。
【００１１】
また、本発明の一側面である放送送信装置は、上述した懸賞応募受付装置から懸賞応募情報を受信する放送送信装置であって、懸賞応募受付装置から送信された特定情報から懸賞の当選者を決定し、懸賞の当選者に対応する特定情報を懸賞応募受付装置に送信するものである。
【００１２】
また、本発明の一側面である懸賞応募受付装置は、上述した構成に加えて、上述した放送送信装置から送信されてきた当選者に対応する特定情報と、懸賞関連情報記憶部に記憶されている特定情報とを照合することで、懸賞の当選者であるユーザを特定する懸賞当選者特定部と、懸賞の当選者および非当選者に該当する各ユーザに対して放送波以外の他の通信手段を介して懸賞の当落結果を通知する当落結果通知部と、を備えることが好ましい。
【００１３】
また、本発明の一側面である懸賞応募受付方法は、放送送信装置から送出される放送波で告知される懸賞に放送波以外の他の通信手段で懸賞への応募を受け付ける懸賞応募受付装置に用いられる懸賞応募受付方法であって、懸賞に関する情報を記憶する懸賞関連情報記憶ステップと、懸賞に応募するための懸賞応募情報を放送波以外の他の通信手段を介して受信する懸賞応募情報受信ステップと、放送波以外の他の通信手段を介して応募のあった懸賞が申し込み期間内であるか否かを判定する申し込み期間判定ステップと、申し込み期間判定ステップで、応募のあった懸賞が申し込み期間内であると判定されたときは、懸賞応募情報を記憶すると共に、懸賞の応募期間が経過するまで懸賞の応募を受け付ける懸賞応募受付ステップと、懸賞の応募期間の経過後に懸賞応募受付ステップで受け付けたすべての懸賞応募情報を放送送信装置へ送信する懸賞応募情報送信ステップと、を有するものである。
【００１４】
また、本発明の一側面である懸賞応募受付プログラムは、コンピュータを、放送送信装置から送出される放送波で告知される懸賞に放送波以外の他の通信手段で懸賞への応募を受け付ける懸賞応募受付装置として機能させるための懸賞応募受付プログラムであって、コンピュータを、懸賞に関する情報が記憶されている懸賞関連情報記憶手段、懸賞に応募するための懸賞応募情報を放送波以外の他の通信手段を介して受信する懸賞応募情報受信手段、懸賞応募情報受信手段で受信した懸賞が申し込み期間内であるか否かを懸賞関連情報記憶手段を参照して判定する申し込み期間判定手段、申し込み期間判定手段で、応募のあった懸賞が申し込み期間内であると判定されたときは、懸賞応募情報を懸賞関連情報記憶手段に記憶すると共に、懸賞の応募期間が経過するまで懸賞の応募を受け付ける懸賞応募受付手段、懸賞の応募期間の経過後に懸賞応募受付手段で受け付けたすべての懸賞応募情報を放送送信装置へ送信する懸賞応募情報送信手段、として機能させるものである。
【００１５】
また、本発明の一側面である懸賞応募受付システムは、放送波でコンテンツを配信する放送送信装置と、放送送信装置から送出される放送波で告知される懸賞を受信すると共に、放送波以外の他の通信手段を介して懸賞へ応募する放送受信装置と、放送受信装置から放送波以外の他の通信手段を介して懸賞への応募を受け付ける懸賞応募受付装置と、を少なくとも備えた懸賞応募システムであって、懸賞応募受付装置は、懸賞に関する情報が記憶されている懸賞関連情報記憶部と、放送受信装置から懸賞に応募するための懸賞応募情報を放送波以外の他の通信手段を介して受信する懸賞応募情報受信部と、懸賞応募情報受信部で受信した懸賞が申し込み期間内であるか否かを懸賞関連情報記憶部を参照して判定する申し込み期間判定部と、申し込み期間判定部で、応募のあった懸賞が申し込み期間内であると判定されたときは、懸賞応募情報を懸賞関連情報記憶部に記憶すると共に、懸賞の応募期間が経過するまで懸賞の応募を受け付ける懸賞応募受付部と、懸賞の応募期間の経過後に懸賞応募受付部で受け付けたすべての懸賞応募情報を放送送信装置へ送信する懸賞応募情報送信部と、を備えるものである。
【発明の効果】
【００１６】
本発明によれば、放送番組内で告知される懸賞情報を容易に把握できると共に、当該懸賞に簡単に応募することができる懸賞応募受付装置、放送送信装置、懸賞応募受付方法、懸賞応募受付プログラム、並びに懸賞応募受付システムを提供することができる。
【図面の簡単な説明】
【００１７】
【図１】本発明の実施形態に係る情報配信システムの全体構成を示す図である。
【図２】図１に示す放送局が有する放送送信装置の構成を示すブロック図である。
【図３】図１に示す放送受信装置のブロック構成を示す図である。
【図４】図１に示す放送局サーバの全体構成を示すブロック図である。
【図５】図２に示す放送送信装置が配信する懸賞情報のデータ列の一例を示す図である。
【図６】図２に示す放送送信装置の懸賞情報を含んだ放送配信処理のフローチャートである。
【図７】図１に示す放送受信装置の応募情報表示処理のフローチャートである。
【図８】図１に示す放送受信装置の懸賞応募情報送信処理のフローチャートである。
【図９】図３に示す表示装置で表示される懸賞応募情報の表示画面例である。
【図１０】図９に示す画面の「詳細」ボタンを押下すると表示される懸賞情報の詳細を示す画面例である。
【図１１】図３に示す表示装置で表示されるユーザ情報登録画面例である。
【図１２】図１１のユーザ情報登録画面から登録されたデータ例を示す図である。
【図１３】図１０に示す「応募」ボタンが押下されると表示される応募者を決定する画面例である。
【図１４】図１に示す放送局サーバの懸賞応募情報受付処理のフローチャートである。
【図１５】図２に示す放送送信装置の抽選処理のフローチャートである。
【図１６】図１に示す放送局サーバの懸賞抽選結果通知処理のフローチャートである。
【図１７】図３に示す表示装置で表示される当選結果通知画面例である。
【発明を実施するための形態】
【００１８】
以下、本発明の実施形態について図面を参照しながら説明する。なお、以下の順に沿って説明していく。
１．情報配信システムの全体構成
１−１．各部の説明
１−１−１．放送送信装置の構成
１−１−２．放送受信装置の構成
１−１−３．放送局サーバの構成
１−２．各装置の処理
１−２−１．放送配信処理
１−２−２．応募情報表示処理
１−２−３．懸賞応募情報送信処理
１−２−４．懸賞応募情報受付処理
１−２−５．抽選処理
１−２−６．懸賞抽選結果通知処理
２．他の実施形態
【００１９】
１．情報配信システムの全体構成
本発明の実施形態に係る情報配信システム１について説明する。図１は、本発明の実施形態に係る情報配信システム１の全体構成を示す図である。図１に示すように、情報配信システム１は、放送局１０と、放送受信装置３０と、放送局サーバ６０と、を有している。この情報配信システム１では、放送局１０から送出される放送波に重畳されたコンテンツを放送受信装置３０が受信し、放送局サーバ６０に対して当該コンテンツに関連する情報の送信要求を行うものである。また、放送局１０から送出される放送波に重畳されたコンテンツに含まれる懸賞情報を放送受信装置３０が受信し、当該懸賞に応募するための懸賞応募情報を放送局サーバ６０に対して送信するものである。なお、図１には、１つの放送局１０、１つの放送局サーバ６０および２つの放送受信装置３０を図示したが、情報配信システム１には、複数の放送局１０、複数の放送局サーバ６０および３以上の放送受信装置３０を有してもよい。また、放送局１０の機能と放送局サーバ６０の機能両方を併せもつ装置としてもよい。
【００２０】
放送局１０は、放送スケジュールに沿って放送番組用のコンテンツをストリームデータとして送出する。また、放送局１０は、放送波にデータ放送、ＥＰＧ（Ｅｌｅｃｔｒｏｎｉｃ  Ｐｒｏｇｒａｍ  Ｇｕｉｄｅ）情報を重畳して送出することができる放送送信装置１１（図２参照）を有している。放送局サーバ６０は、放送送信装置１１が送出する放送番組に連動したコンテンツや当該放送番組とは関係のないコンテンツを放送受信装置３０からの要求により送信する。放送受信装置３０は、放送局１０の放送送信装置１１からの放送波や放送局サーバ６０から送信されるコンテンツを受信し、受信した放送番組の映像、音声出力や、それらに関連したコンテンツ、ＥＰＧ情報の出力を行う。
【００２１】
１−１．各部の説明
１−１−１．放送送信装置の構成
図２は、図１に示す放送局１０が有する放送送信装置１１の構成を示すブロック図である。図２に示すように、放送送信装置１１は、制御部１２、コンテンツストリーム作成部１３、ＥＰＧ情報作成部１４、データ放送作成部１５、ＭＵＸ（ＭＵｌｔｉｐｌｅＸｅｒ）部１６、放送用コンテンツＤＢ（Ｄａｔａ  Ｂａｓｅ、以下、データベースを単に「ＤＢ」と略記する）１７、放送スケジュールＤＢ１８、データ放送用コンテンツＤＢ１９、抽選処理部２０、ネットワーク接続部２１を主要な構成要素としている。
【００２２】
ここで、上述したコンテンツストリーム作成部１３、ＥＰＧ情報作成部１４、データ放送作成部１５、ＭＵＸ部１６、抽選処理部２０の各機能が実現する情報処理は、放送送信装置１１全体を制御する制御部１２がハードウェア資源と協働して実行することにより実現される。具体的には、制御部１２は、不図示のハードウェア資源であるＣＰＵなどから構成され、ＣＰＵが不図示のＲＯＭに格納されている各種プログラムを不図示のＲＡＭに読み出して協働して実行することにより実現している。また、上述した放送用コンテンツＤＢ１７、放送スケジュールＤＢ１８、データ放送用コンテンツＤＢ１９は放送送信装置１１の記憶部２２に記憶されており、放送送信装置１１の記憶部２２は、たとえばＨＤＤ（Ｈａｒｄ  Ｄｉｓｃ  Ｄｒｉｖｅ）やフラッシュメモリなどから構成される。
【００２３】
コンテンツストリーム作成部１３は、放送用コンテンツＤＢ１７を参照して放送用コンテンツを作成する。なお、本実施例において、放送用コンテンツは、ＭＰＥＧ２−ＴＳ（Ｍｏｔｉｏｎ  Ｐｈｏｔｏｇｒａｐｈｉｃ  Ｃｏｄｅｉｎｇ  Ｅｘｐｅｒｔｓ  Ｇｒｏｕｐｅ−２  Ｔｒａｎｓｐｏｒｔ  Ｓｔｒｅａｍ）規格に準拠して符号化及び多重化されているものとして説明する。ＭＰＥＧ２−ＴＳ規格では、伝送されるコンテンツの映像及び音声等は、符号化されたＥＳ（Ｅｌｅｍｅｎｔａｒｙ  Ｓｔｒｅａｍ）として生成され、ＥＳを意味のある単位毎にパケット化されたＰＥＳ（Ｐａｃｋｅｔｉｚｅｄ  Ｅｌｅｍｅｎｔａｒｙ  Ｓｔｒｅａｍ）が生成される。更に、ＰＥＳを分割したＴＳ（Ｔｒａｎｓｐｏｒｔ  Ｓｔｒｅａｍ）パケットが、放送局１０から伝送される。
【００２４】
また、各ＴＳパケットのヘッダにＰＩＤと呼ばれる１３ビットのパケット識別子を付与することにより、各ＴＳパケットが、放送用コンテンツの映像データ、音声データ、制御データ等のいずれであるのか分類することができる。
【００２５】
また、ここでいう制御データとは、ＳＩ／ＰＳＩ（Ｓｅｒｖｉｃｅ  Ｉｎｆｏｒｍａｔｉｏｎ／Ｐｒｏｇｒａｍ  Ｓｐｅｃｉｆｉｃ  Ｉｎｆｏｒｍａｔｉｏｎ）と呼ばれるデータを指している。ＳＩ／ＰＳＩのＳＩは、ＥＰＧ情報を作成するために必要な情報等を含み、ＰＳＩは、基本的な制御をするための情報を含む制御データのことである。なお、ＴＳパケットには、放送局１０の意図に反する視聴を防止するための暗号化処理（以下、「スクランブル処理」という）が施されていてもよい。ここで、スクランブル処理の方式としてたとえば、Ｍｕｌｔｉ２を使用することができる。このＭｕｌｔｉ２は、デジタルデータを暗号化する方式の一つであり、ＢＳデジタル放送や地上デジタル放送などでも広く採用されている。なお、放送用コンテンツＤＢ１７には、上述した放送用コンテンツの元になるコンテンツデータが記憶されている。
【００２６】
ＥＰＧ情報作成部１４は、制御部１２の制御により、放送スケジュールＤＢ１８を参照してＥＰＧ情報を作成する機能を有する。放送スケジュールＤＢ１８には、放送局１０が放送する番組の放送スケジュール情報が記憶されている。また、放送スケジュールＤＢ１８に記憶されている番組には懸賞情報の有無等が含まれている。ＥＰＧ情報作成部１４は、放送スケジュールＤＢ１８に記憶されている番組には懸賞情報の有無等を含めてＥＰＧ情報を作成することもできる。なお、放送スケジュールＤＢ１８に、他の放送局１０が放送する番組の放送スケジュール情報および各番組の懸賞情報の有無等が記憶されていてもよい。
【００２７】
データ放送作成部１５は、制御部１２の制御により、データ放送用コンテンツＤＢ１９から例えば天気予報や番組に関連した情報等のデータ放送を作成する。なお、データ放送も、上述した放送用コンテンツと同様にＭＰＥＧ２−ＴＳ規格に準拠して符号化及び多重化されているものとして説明する。なお、データ放送用コンテンツＤＢ１９には、天気予報や番組に関連した情報等のデータ放送以外にも、その番組に関係する放送局１０が提供するＵＲＬ（Ｕｎｉｆｏｒｍ  Ｒｅｓｏｕｒｃｅ  Ｌｏｃａｔｏｒ）情報やＰ２Ｐ（Ｐｅｅｒ  ｔｏ  Ｐｅｅｒ）方式で利用できる検索クエリ情報が記憶されていてもよい。なお、データ放送作成部１５は、これらの情報をあわせてＭＵＸ部１６に供給する。
【００２８】
ＭＵＸ部１６は、制御部１２の制御により、コンテンツストリーム作成部１３が放送用コンテンツＤＢ１７を参照して作成した放送用コンテンツと、ＥＰＧ情報作成部１４が放送スケジュールＤＢ１８を参照して作成したＥＰＧ情報と、放送作成部２３がデータ放送用コンテンツＤＢ１９を参照して作成したデータ放送番組データとを多重化した放送データを生成する。そして、当該放送データは、放送局１０のアンテナから放送波として送出される。
【００２９】
抽選処理部２０は、制御部１２の制御により、放送局サーバ６０から送信されてきた懸賞に応募するための特定情報に基づいて、懸賞の抽選処理を行う機能を有する。なお、抽選処理については後述する。
【００３０】
ネットワーク接続部２１は、制御部１２の制御により、ＩＰ通信網８０やＬＡＮ（不図示）などを介して放送局サーバ６０と通信を行う通信インターフェースである。
【００３１】
１−１−２．放送受信装置の構成
続いて、放送受信装置３０について説明する。図３は、図１に示す放送受信装置３０のブロック構成を示す図である。放送受信装置３０は、たとえばＴＶ放送やラジオ放送を受信する端末であり、固定されている受信端末であるか、携帯できる移動体端末であるかを問わない。また、放送受信装置３０は、放送局１０から受信した情報を表示装置５０、音声再生装置５１へ出力する。なお、本実施形態に係る放送受信装置３０は、表示装置５０、音声再生装置５１とは別個の装置としている。しかし、これに限定するものではなく、放送受信装置３０、表示装置５０、音声再生装置５１が同じ筐体内に具備されるようなもの、例えばテレビセットとしても良い。また、放送受信装置３０と表示装置５０とが同一の筐体内に具備され、音声再生装置５１だけが別の筐体内に具備されるような構成であっても良い。つまり、これら３つの放送受信装置３０、表示装置５０、音声再生装置５１をどのような装置内に具備するのかについては特に限定するものではない。また、放送受信装置３０には録画機能、録音機能を有していてもよい。
【００３２】
図３に示すように、放送受信装置３０は、操作入力部３１、制御部３２、チューナー３３、ＤＥＭＵＸ（ＤＥＭＵｌｔｉｐｌｅＸｅｒ）部３４、デコード部３５、映像音声出力部３６、記録部３７、ネットワーク接続部３８、ネットワーク情報デコード部３９、ユーザ情報記憶部４０を主要な構成要素としている。ここで、制御部３２は、たとえば不図示のハードウェア資源であるＣＰＵなどで構成されており、記録部３７やＲＯＭなどに格納されている各種プログラムをＲＡＭに読み出して、各種演算処理を協働して実行することで、放送受信装置３０の各部の機能が行う情報処理を実現することができる。
【００３３】
操作入力部３１は、たとえばリモコンやタッチパネルで構成されるが、音声入力等ができるように構成されてもよい。また、操作入力部３１は、ユーザからの操作入力を受け付けて、制御部３２へユーザの指示（たとえば、ＥＰＧ画面表示要求、懸賞情報表示要求、選局変更処理要求など）を伝える。ユーザは、この操作入力部３１を操作することで、放送受信装置３０への操作入力を行うことができる。なお、放送受信装置３０への操作入力は、赤外線などの無線信号（操作信号）を介して放送受信装置３０内に設けられた操作入力部３１に入力されるようにしてもよい。操作入力部３１に入力された操作信号は、不図示のバスを介して制御部３２に供給される。
【００３４】
制御部３２は、不図示のＣＰＵなどで構成され、操作入力部３１に入力された操作信号を解析し、放送受信装置３０を構成する各部若しくはその一部の動作を制御する中央演算処理装置である。例えば、ユーザが操作入力部３１を用いてチャンネルの選局指示を入力すると、この選局指示内容を示す信号が、操作入力部３１および不図示のバスを介して制御部３２に入力される。これにより制御部３２は、不図示のバスを介してチューナー３３に対して、ユーザが選局したチャンネルへの選局指示を送信する。
【００３５】
チューナー３３は、放送局１０の放送波をアンテナで受信し、受信したＲＦ（Ｒａｄｉｏ  Ｆｒｅｑｕｅｎｃｙ）信号を復調し、誤り訂正等を行い、ＴＳパケットからなるＴＳ信号をＤＥＭＵＸ部３４へ出力する。
【００３６】
チューナー３３は、図３において地上デジタル放送を受信するために１つのみ図示したが、アナログ放送も受信する場合にはアナログ放送用のチューナー３３を備えていてもよく、２つのチューナー３３を備えるようにしてもよい。なお、放送受信装置３０は、ＴＳ信号がスクランブル処理を施されて伝送されてきた場合には、通常の信号へと解除する処理を行うデスクランブラ部を備えていてもよい。その場合には、当該デスクランブラ部は、スクランブル処理が解除されたＴＳパケットからなるＴＳ信号を、ＤＥＭＵＸ部３４に供給するようにしてもよい。
【００３７】
ＤＥＭＵＸ部３４は、制御部３２の制御により、チューナー３３から出力されたＴＳパケットからなるＴＳ信号（つまり、送信側の放送送信装置１１のＭＵＸ部１６で映像や音声などの複数のストリームを多重化した放送データ）を、映像や音声などのストリームデータと、ＳＩ／ＰＳＩなどのセクション形式のデータとに分離する処理を行う。ＤＥＭＵＸ部３４によって分離された各データは、制御部３２の制御にしたがい、デコード部３５に供給される。
【００３８】
デコード部３５は、制御部３２の制御により、放送データに含まれる放送用コンテンツやＥＰＧ情報、データ放送などをデコードする。また、デコード部３５は、デコードしたこれらのデータを記録部３７に供給する。なお、デコード部３５が記録部３７に供給するデータは、映像信号、音声信号としてデコードせずに、データ信号としてそのまま供給するようにしてもよい。
【００３９】
また、デコード部３５は、上述した放送データに含まれる放送用コンテンツやＥＰＧ情報、データ放送などに対してデコードを行って、それぞれオーディオデータ、ビデオデータ、番組データを生成する。デコードされたオーディオデータは、上述の音声再生装置５１に供給する。そして、音声再生装置５１は、供給されたオーディオデータに対してＤ／Ａ変換処理を行い、音声信号として出力する。また、デコード部３５は、デコードされたビデオデータおよび番組データを、映像音声出力部３６へ供給する。
【００４０】
映像音声出力部３６は、制御部３２の制御により、供給された番組データを不図示のＲＡＭに格納する。映像音声出力部３６は、番組データを描画することでＥＰＧ情報を生成する。そして、映像音声出力部３６は、デコード部３５からのビデオデータに基づいた画面上に、ＥＰＧ情報に基づいた画面を合成した合成画面を生成し、表示装置５０に送出する。表示装置５０は、この合成画面を表示する。記録部３７は、制御部３２の制御により、デコード部３５でデコードしたデータを記憶する。
【００４１】
ネットワーク接続部３８は、ＩＰ通信網８０を介して放送局サーバ６０と通信を行う通信インターフェースである。ネットワーク接続部３８は、放送局サーバ６０のネットワーク接続部７２からのデータを受信し、ネットワーク情報デコード部３９に当該データを送る。
【００４２】
ネットワーク情報デコード部３９は、ネットワーク接続部３８から受信したデータを制御部３２の制御にしたがってデコードし、記録部３７に供給する。なお、記録部３７に供給されたデータは、映像音声出力部３６へ供給され、その後、表示装置５０および／または音声再生装置５１に出力される。ユーザ情報記憶部４０には、情報配信システム１を利用するユーザ情報を不図示の記憶部に格納する機能を有している。
【００４３】
１−１−３．放送局サーバの構成
図４は、図１に示す放送局サーバ６０の全体構成を示すブロック図である。図４に示すように放送局サーバ６０は、制御部６１、コンテンツストリーム作成部６２、配信要求受付部６３、ユーザ情報管理部６４、コンテンツデータ配信部６５、ＥＰＧ情報作成部６６、サーバ放送用ＥＰＧ情報作成部６７、コンテンツＤＢ６８、放送スケジュールＤＢ６９、懸賞商品情報ＤＢ７０、抽選ＤＢ７１、ネットワーク接続部７２とを主要な構成要素としている。
【００４４】
ここで、上述したコンテンツストリーム作成部６２、配信要求受付部６３、ユーザ情報管理部６４、コンテンツデータ配信部６５、ＥＰＧ情報作成部６６、サーバ放送用ＥＰＧ情報作成部６７の各機能が実現する情報処理は、放送局サーバ６０全体を制御する制御部６１がハードウェア資源と協働して実行することにより実現される。具体的には、制御部６１は、不図示のハードウェア資源であるＣＰＵなどから構成され、ＣＰＵが不図示のＲＯＭに格納されている各種プログラムを不図示のＲＡＭに読み出して協働して実行することにより実現している。また、上述したコンテンツＤＢ６８、放送スケジュールＤＢ６９、懸賞商品情報ＤＢ７０、抽選ＤＢ７１は、不図示の記憶部に記憶されており、放送局サーバ６０の記憶部は、たとえばＨＤＤやフラッシュメモリなどから構成される。なお、コンテンツストリーム作成部６２は、放送送信装置１１のコンテンツストリーム作成部１３の機能と、ネットワーク接続部７２は、放送送信装置１１のネットワーク接続部２１および放送受信装置３０のネットワーク接続部３８の機能と同一であるため、説明を省略する。なお、制御部６１は、請求項の懸賞関連情報記憶部、懸賞応募情報受信部、申し込み期間判定部、懸賞応募受付部、懸賞応募情報送信部、ユーザ情報抽出部、懸賞当選者特定部、当落結果通知部に対応するものである。
【００４５】
配信要求受付部６３は、放送受信装置３０からの懸賞情報の配信要求を受け付ける機能を有する。具体的には、放送受信装置３０から要求のあったコンテンツやＥＰＧ情報、サーバ放送用ＥＰＧ情報を提供する。
【００４６】
ユーザ情報管理部６４は、制御部６１の制御により、放送局サーバ６０に接続してきたユーザが登録されていない場合に所定の入力事項を求めて、情報配信システム１のユーザとして新たに登録することができる機能を有している。具体的には、ユーザ情報管理部６４は、接続してきた放送受信装置３０のディスプレイ、または放送受信装置３０に接続されている表示装置５０にユーザ登録画面を表示し、所定の事項を入力させて、入力された事項を不図示の記憶部に記憶する処理を行う。
【００４７】
また、ユーザ情報管理部６４は、制御部６１の制御により、放送局サーバ６０に接続してきたユーザが、情報配信システム１を正当に利用できるユーザであるか否かを判定する機能を有している。具体的には、ユーザ情報管理部６４は、接続してきた放送受信装置３０のディスプレイ、または放送受信装置３０に接続されている表示装置５０にユーザ認証画面を表示させ、当該認証画面に入力された事項（たとえばユーザが入力したユーザＩＤおよびパスワードなど）と、不図示の記憶部に予め記憶されている事項（当該ユーザＩＤと当該ユーザが予め設定したパスワードなど）とを照合することでユーザ認証処理を行う。なお、ユーザ情報管理部６４は、ユーザ認証サーバとしてのＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）サーバを、放送局サーバ６０とは別に構築して、当該ＬＤＡＰサーバにおいて上述したユーザ情報管理部６４の各処理を実現するようにしてもよい。また、ユーザ情報管理部６４は、ユーザの情報を管理する。具体的にはユーザＩＤとユーザの視聴エリアが登録されており、要求のあったユーザに視聴エリアに応じた適切な放送地域のＥＰＧ情報を提供することができる。
【００４８】
コンテンツデータ配信部６５は、制御部６１の制御により、放送送信装置１１が放送波で送出する放送データとは異なり、当該放送データに関連するコンテンツ、またはそれ以外のコンテンツをＩＰ通信網８０経由で配信する機能を有する。
【００４９】
ＥＰＧ情報作成部６６は、制御部６１の制御により、放送スケジュールＤＢ６９と懸賞商品情報ＤＢ７０に基づき、ＥＰＧ情報を作成する。放送スケジュールＤＢ６９には、放送波（テレビ放送、ラジオ放送等）の番組情報が記憶され、ＥＰＧ情報の作成に用いられる。また、放送スケジュールＤＢ６９には、基本的には放送送信装置１１の放送スケジュールＤＢ１８と同等のデータが含まれているが、より詳細な情報が記憶されているものである。また、懸賞商品情報ＤＢ７０には、予め懸賞情報が記憶されている。懸賞情報は懸賞のある番組の放送種別や放送局名、番組名、開始/終了時刻、リアルタイムに応募する番組なのか否かに関する情報、応募締め切り情報、申し込み情報等が記録されている。これらはＥＰＧ情報の作成に用いられ、ＥＰＧ情報に懸賞情報を含んで放送受信装置３０からの要求に応じて送信される。
【００５０】
サーバ放送用ＥＰＧ情報作成部６７は、制御部６１の制御により、後述するコンテンツＤＢ６８のコンテンツが放送番組と関係するコンテンツである場合に、放送番組と関係するコンテンツのＥＰＧ情報を作成するものである。このコンテンツに関連した懸賞情報がある場合には、その懸賞情報も含めてサーバ放送用ＥＰＧデータを作成する。
【００５１】
コンテンツＤＢ６８には、種々のコンテンツが記憶されている。コンテンツＤＢ６８に記憶されているコンテンツは、番組連動型のものや放送終了後にもアクセスできるコンテンツ、また、エリア限定のものではないコンテンツなどが記憶されている。具体的なコンテンツの例としては、静止画、動画、音声等である。なお、これらの情報は、例えばＸＭＬ(ｅＸｔｅｎｓｉｂｌｅ  Ｍａｒｋｕｐ  Ｌａｎｇｕａｇｅ)やＢＭＬ(Ｂｒｏａｄｃａｓｔ  Ｍａｒｋｕｐ  Ｌａｎｇｕａｇｅ)等のマークアップ言語で記述されており、このようなマークアップ言語を用いることで、ＩＰ通信網８０との親和性を良好なものとすることができる。
【００５２】
抽選ＤＢ７１には、懸賞に応募があったユーザ情報（たとえば性別、年齢など）と、応募者に対してそれぞれ一意に識別できる懸賞応募番号が少なくとも格納されている。なお、抽選ＤＢ７１は、請求項の懸賞関連情報記憶部の一部として機能する。
【００５３】
１−２．各装置の処理
１−２−１．放送配信処理
続いて、放送送信装置１１の懸賞情報を含んだ放送配信処理について説明する。図５は、図２に示す放送送信装置１１が配信する懸賞情報のデータ列の一例を示す図である。図５に示すように、懸賞情報のデータ列には、「放送種別」、「放送局名」、「放送開始日時」、「放送終了日時」、「番組名」、「プレゼントジャンル」、「プレゼント商品名」、「プレゼント画像」、「リアルタイムか否か」、「応募方法」、「懸賞申し込み開始日時」、「懸賞申し込み終了日時」などのフィールドが含まれている。「放送種別」のフィールドには、地上デジタル放送やＢＳデジタル放送、ＣＳ放送、ＦＭラジオ放送、ＡＭラジオ放送等の放送種別が記載される。「放送局名」のフィールドには、放送局名が記載される。「番組名」のフィールドには、当該番組のフィールド名が記載される。「放送開始日時」、「放送終了日時」のフィールドには、当該番組の開始時刻、終了時刻がそれぞれ記載される。「リアルタイム情報」のフィールドには、番組放送中にリアルタイム（あるいは番組放送日）に応募が締切となる懸賞かどうかの情報が記載される。「プレゼントジャンル」のフィールドには、当該プレゼントのジャンル情報が記載される。「プレゼント名」のフィールドには、当該プレゼント名が記載される。「応募方法」のフィールドには、懸賞の応募方法の種別（例えば郵送、電話、インターネット等）が記載される。「懸賞申し込み開始日時」、「懸賞申し込み終了日時」のフィールドには、それぞれ懸賞の申込開始日時、締切日時が記載される。なお、郵送の場合は、消印が有効な日が記載されてもよい。「応募方法」のフィールド以降については、複数の応募方法がある場合はそれぞれの応募方法について順次繰り返し形式でフィールドが追加されるようにしてもよい。
【００５４】
上述した懸賞情報をＥＰＧ情報に追加する場合には、例えばＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ）で規定される地上デジタル放送や、ＢＳデジタル放送のＳＩ情報中にあるＥＰＧ情報のＴＹＰＥ−Ｈを表示するための、番組表形式のデータ部分又は及び個別の番組の説明のためのデータ部分に入れることが好ましい。また、他の放送や他のＥＰＧ表示形式の場合（ワンセグ放送）の場合には、番組名や番組説明のためのテキスト情報のデータ中に懸賞情報を入れることが好ましい。また、懸賞情報は、放送受信装置３０側でテキスト検索できるよう、所定のキーワード“懸賞”、“プレゼント”といった文字列を含むようにすることが好ましい。また、応募条件を記述する場合には、“応募条件”という文字列のあとに所定の条件内容を記載することが好ましい。応募の開始、終了期間についても、同様に形式で表現を行うことが好ましい。
【００５５】
図６は、図２に示す放送送信装置１１の懸賞情報を含んだ放送配信処理のフローチャートである。
【００５６】
ＳＴＡＲＴ：制御部１２は、電源がＯＮになる、または当該配信モードが選択されると放送配信処理を開始する。制御部１２は、放送配信処理を開始すると、ステップＳ１０１の処理へ移行する。
【００５７】
ステップＳ１０１：制御部１２は、放送スケジュールＤＢ１８を参照して、送信する期間内（たとえば、１週間など）の番組の中から１つの番組を抽出し、当該番組が懸賞のある番組か否か判定する。たとえば、抽出した番組が地上ＴＶ、東京ＢＣの２００９／１／１  １７：００〜１９：００「日本７不思議発掘！」である場合には、当該番組が懸賞のある番組か否かを判定する。具体的には、図４に示す懸賞情報のデータ列に当該番組があるか否かを判定する。制御部１２は、放送スケジュールＤＢ１８を参照して抽出された番組が懸賞のある番組である場合（ステップＳ１０１でＹＥＳ）にはステップＳ１０２の処理へ移行し、懸賞のある番組でない場合（ステップＳ１０１でＮＯ）にはステップＳ１０３の処理へ移行する。
【００５８】
ステップＳ１０２：制御部１２は、懸賞情報を含んだＥＰＧ情報を生成する。懸賞情報が、例えば図４のデータ列である場合には、プレゼントジャンルやプレゼント商品名、プレゼント画像、リアルタイムか否か、応募方法、懸賞期間といった各項目の情報を追加したＥＰＧ情報を生成する。制御部１２は、ステップＳ１０２の処理が完了すると、ステップＳ１０４の処理へ移行する。
【００５９】
ステップＳ１０３：制御部１２は、ＥＰＧ情報を生成する。制御部１２は、ステップＳ１０３の処理が完了すると、ステップＳ１０４の処理へ移行する。
【００６０】
ステップＳ１０４：制御部１２は、送信する期間内の全ての番組について懸賞情報の有無をチェックしたか否かを判定する。制御部１２は、送信する期間内の全ての番組について懸賞の有無をチェックした場合（ステップＳ１０４でＹＥＳ）は、ステップＳ１０５の処理へ移行し、チェックしていない場合（ステップＳ１０４でＮＯ）は、ステップＳ１０１の処理へ戻る。
【００６１】
ステップＳ１０５：制御部１２は、放送コンテンツ、データ放送、ＥＰＧ情報を多重化する。制御部１２は、ステップＳ１０５の処理が完了すると、ステップＳ１０６の処理へ移行する。
【００６２】
ステップＳ１０６：制御部１２は、ステップＳ１０５で多重化した放送データを配信して放送配信処理を終了する（ＥＮＤ）。
【００６３】
このような配信処理とすることで、懸賞情報の有無がＥＰＧ情報に含まれて配信されるため、視聴者が放送番組内で告知される情報を容易に知ることができる。また、当該告知情報が放送番組の視聴するための動機付けとなり、当該放送番組の視聴率アップに寄与することができる。
【００６４】
１−２−２．応募情報表示処理
続いて、図１に示す放送受信装置３０で懸賞の応募情報を表示す処理について説明する。図７は、図１に示す放送受信装置３０の応募情報表示処理のフローチャートである。この図７に示す応募情報表示処理は、懸賞番組の応募方法に関する情報の有無についての判別を行い、懸賞番組である場合には、当該応募方法などの情報を表示させるようにしている。
【００６５】
ＳＴＡＲＴ：制御部３２は、電源がＯＮになる、または当該表示モードが選択されると懸賞情報表示処理を開始する。制御部３２は、懸賞情報表示処理を開始すると、ステップＳ２０１の処理へ移行する。
【００６６】
ステップＳ２０１：制御部３２は、ＥＰＧ画面の表示要求の有無を判定する。制御部３２は、ＥＰＧ画面の表示要求がある場合（ステップＳ２０１でＹＥＳ）には、ステップＳ２０２の処理へ移行し、ＥＰＧ画面の表示要求がない場合（ステップＳ２０１でＮＯ）には、ステップＳ２０１の判定処理を繰り返す。なお、ステップＳ２０１でＥＰＧ画面の表示要求がある場合に懸賞情報表示処理を開始するようにしてもよい。
【００６７】
ステップＳ２０２：制御部３２は、表示要求されている番組に懸賞情報があるか否かを判定する。具体的には、制御部３２は、ＥＰＧ情報に表示される画面（表示要求された放送種別、放送局名、時間帯）の中に懸賞番組があるか否かを検出する。制御部３２は、表示要求されている番組に懸賞情報がある場合（ステップＳ２０２でＹＥＳ）には、ステップＳ２０３の処理へ移行し、懸賞情報がない場合（ステップＳ２０２でＮＯ）にはステップＳ２０４の処理へ移行する。
【００６８】
ステップＳ２０３：制御部３２は、懸賞情報に応募方法の情報があるか否かを判定する。具体的には、制御部３２は、電話での応募、ホームページへのアクセス、ファックス、郵便等の情報の有無を判定する。制御部３２は、懸賞情報に応募方法の情報がある場合（ステップＳ２０３でＹＥＳ）には、ステップＳ２０６の処理へ移行し、懸賞情報に応募方法の情報がない場合（ステップＳ２０３でＮＯ）には、ステップＳ２０５の処理へ移行する。なお、送信されてきた懸賞情報に応募方法の情報があるか否かは、送信データ内にフラグ判別できるようなデータ列を追加する、または懸賞情報として送信されてきたデータ内の応募方法フィールドを参照することにより応募方法の情報の有無を判定することができる。
【００６９】
ステップＳ２０４：制御部３２は、通常のＥＰＧ情報画面を表示する。制御部３２は、ステップＳ２０４の処理が完了すると、ステップＳ２０７の処理へ移行する。
【００７０】
ステップＳ２０５：制御部３２は、懸賞のある番組を強調表示したＥＰＧ情報画面を表示する。具体的には、制御部３２は、アイコンで懸賞番組があることを示したり、ＥＰＧ情報上の当該番組の背景色を変更したりする。制御部３２は、ステップＳ２０５の処理が完了すると、ステップＳ２０７の処理へ移行する。
【００７１】
ステップＳ２０６：制御部３２は、応募情報を追加し、懸賞のある番組を強調表示したＥＰＧ画面を表示させる。具体的には、制御部３２は、応募方法ごとに番組の背景色を変えることや所定のアイコンを表示するといった制御を行う。制御部３２は、ステップＳ２０６の処理が完了するとステップＳ２０７の処理へ移行する。
【００７２】
ステップＳ２０７：制御部３２は、表示番組の変更要求の有無を判定する。具体的には、制御部３２は、表示している時間帯の変更、日付の変更、放送局１０の変更、番組の変更等の有無を判定する。制御部３２は、表示番組の変更要求がある場合（ステップＳ２０７でＹＥＳ）には、ステップＳ２０２の処理へ移行し、表示番組の変更要求がない場合（ステップＳ２０７でＮＯ）には、ステップＳ２０７の判定処理を繰り返す。
【００７３】
このような表示処理とすることで、番組内で告知される応募情報に加えて、当該懸賞の応募期限などのより詳細な応募情報を表示画面から知ることができる。
【００７４】
１−２−３．懸賞応募情報送信処理
続いて、放送受信装置３０が放送局サーバ６０へ懸賞応募情報を送信する処理について説明する。図８は、図１に示す放送受信装置３０の懸賞応募情報送信処理のフローチャートである。この懸賞応募情報送信処理は、視聴者が操作入力部３１を操作することにより懸賞応募要求が発生すると、当該要求に基づいて懸賞応募用情報を放送局サーバ６０へ送信する処理である。
【００７５】
ＳＴＡＲＴ：制御部３２は、電源がＯＮになる、または当該処理モードが選択されると懸賞応募情報送信処理を開始する。制御部３２は、懸賞応募情報送信処理を開始すると、ステップＳ３０１の処理へ移行する。
【００７６】
ステップＳ３０１：制御部３２は、懸賞応募要求の有無を判定する。図９は、図３に示す表示装置５０で表示される懸賞応募情報の表示画面例である。図９に示すように画面右側に現在放送中の懸賞番組が表示されている。また、図９の下の「詳細」ボタンを押下すると懸賞情報の詳細が表示される。図１０は、図９に示す画面の詳細ボタンを押下すると表示される懸賞情報の詳細を示す画面例である。図１０に示すように、懸賞としてのプレゼント情報が表示されている。なお画面左下の「応募」ボタンを押下すると、懸賞に応募する処理が開始される（応募要求）。制御部３２は、応募要求がある場合（ステップＳ３０１でＹＥＳ）には、ステップＳ３０２へ処理を移行し、応募要求がない場合（ステップＳ３０１でＮＯ）には、ステップＳ３０１の判定処理を繰り返す。
【００７７】
ステップＳ３０２：制御部３２は、懸賞応募用ユーザデータが登録済みであるか否かを判定する。制御部３２は、ユーザ情報管理部６４に記憶されている情報によって、懸賞応募ユーザ情報の登録有無を判定する。制御部３２は、登録済みである場合（ステップＳ３０２でＹＥＳ）には、ステップＳ３０４へ処理を移行し、登録済みでない場合（ステップＳ３０２でＮＯ）には、ステップＳ３０３へ処理を移行する。
【００７８】
ステップＳ３０３：制御部３２は、応募ユーザ情報の登録を行わせる。具体的には、放送受信装置３０のディスプレイに懸賞応募用ユーザ情報登録画面を表示させる処理を行う。図１１は、図３に示す表示装置５０で表示されるユーザ情報登録画面例である。図１１に示すように、懸賞応募用のユーザ情報として、ニックネーム（ペンネーム）、生年月日、性別、お仕事、プレゼント送付先連絡先としての氏名、住所、電話番号等が入力できる。また、図１１の登録画面から入力された事項は、図１２に示すデータが放送受信装置３０内の記憶部に格納される。制御部３２は、懸賞応募用ユーザ情報の登録が完了すると、登録完了の旨を出力すると共に、ステップＳ３０５の処理へ移行する。
【００７９】
ステップＳ３０４：制御部３２は、懸賞応募用ユーザを設定する。図１３は、図１０に示す「応募」ボタンが押下されると表示される応募者を決定する画面例である。図１３に示すように、現在、放送受信装置３０にユーザ登録されている「ラジオまん」と「お父さん」を選択できるボタンが表示されている。なお、新たなユーザを登録する場合には「ユーザ登録」ボタンを押下することでユーザ登録画面に遷移することができる。制御部３２は、ステップＳ３０４の処理が完了すると、ステップＳ３０５の処理へ移行する。
【００８０】
ステップＳ３０５：制御部３２は、受信中の番組が懸賞番組であるか否かを判定する。具体的には、当該番組のＥＰＧ情報を参照して懸賞情報が含まれているか否かにより判定する。制御部３２は、受信中の番組が懸賞番組である場合（ステップＳ３０５でＹＥＳ）には、ステップＳ３０６の処理へ移行し、懸賞番組でない場合（ステップＳ３０５でＮＯ）には、懸賞応募情報送信処理を終了する（ＥＮＤ）。
【００８１】
ステップＳ３０６：制御部３２は、懸賞の応募期間内であるか否かを判定する。具体的には、当該番組の懸賞情報に含まれている「懸賞申し込み開始日時」および「懸賞申し込み終了日時」の日時を参照して判定する。制御部３２は、懸賞の応募期間内である場合（ステップＳ３０６でＹＥＳ）には、ステップＳ３０７の処理へ移行し、応募期間内でない場合（ステップＳ３０６でＮＯ）には、懸賞応募情報送信処理を終了する（ＥＮＤ）。
【００８２】
ステップＳ３０７：制御部３２は、懸賞申込情報を放送局サーバ６０に対してＩＰ通信網８０を介して送信して、懸賞応募情報送信処理を終了する（ＥＮＤ）。
【００８３】
このような処理とすることで、放送送信装置１１から放送受信装置３０へ送出された懸賞に対して、ＩＰ通信網８０を介して放送受信装置３０から放送局サーバ６０へ容易に応募することができる。
【００８４】
１−２−４．懸賞応募情報受付処理
続いて、懸賞応募情報を受信した放送局サーバ６０で行われる懸賞応募情報受付処理について説明する。図１４は、図１に示す放送局サーバ６０の懸賞応募情報受付処理のフローチャートである。
【００８５】
ＳＴＡＲＴ：制御部６１は、電源がＯＮになる、または当該処理モードが選択されると懸賞応募情報受付処理を開始する。制御部６１は、懸賞応募情報受付処理が開始されるとステップＳ４０１の処理へ移行する。
【００８６】
ステップＳ４０１：懸賞応募情報受信部としての制御部６１は、放送受信装置３０から懸賞応募情報を受信したか否かを判定する。制御部６１は、放送受信装置３０から懸賞応募情報を受信した場合（ステップＳ４０１でＹＥＳ）には、ステップＳ４０２の処理へ移行し、受信しない場合（ステップＳ４０１でＮＯ）には、ステップＳ４０１の判定処理を繰り返す。
【００８７】
ステップＳ４０２：申し込み期間判定部としての制御部６１は、懸賞商品情報ＤＢ７０を参照して、ステップＳ４０１で受信した懸賞の応募期間が終了しているか否かを判定する。制御部６１は、懸賞の応募期間が終了している場合（ステップＳ４０２でＹＥＳ）には、ステップＳ４０３の処理へ移行し、応募期間が終了していない場合（ステップＳ４０２でＮＯ）には、ステップＳ４０４の処理へ移行する。
【００８８】
ステップＳ４０３：懸賞応募情報送信部としての制御部６１は、応募期間内に受け付けた応募者の総数を算出し、１から当該総数までの数値を懸賞応募番号として生成し、当該懸賞応募番号と応募のあった各ユーザのＩＤとの関連付けを行って、その結果を抽選ＤＢ７１に格納する。たとえば、１００人の応募があった場合には、１から１００までの懸賞応募番号を生成し、応募のあったユーザＩＤと対応付けをそれぞれ行って、その対応結果を抽選ＤＢ７１に格納する。このようにすることで、懸賞応募番号が、懸賞応募情報を送信してきたユーザのそれぞれを識別できる特定情報となる。制御部６１は、ステップＳ４０３の処理が完了すると、ステップＳ４０５の処理へ移行する。なお、上述した懸賞応募番号の生成方法に関しては、１から応募者総数までの数値と一致している番号を懸賞応募番号として生成するものでなくともよい。たとえば、応募者総数に基づいて、１以外から始まる数値から当該応募者総数分の数値を懸賞応募番号として生成する、または、応募者総数分の数値をランダムに生成するようにしてもよい。また、懸賞応募者を識別できるものであれば、番号以外に記号などの特定情報でもよく、それらの特定情報と各応募者のユーザＩＤなどを関連付けるようにしてもよい。
【００８９】
ステップＳ４０４：懸賞応募情報受信部および懸賞応募受付部としての制御部６１は、ステップＳ４０１で受信した懸賞応募情報を不図示の記憶部に記憶すると共に、再度ステップＳ４０１の処理へ移行する。すなわち、制御部６１は、懸賞の応募期間が終了するまで放送受信装置３０から懸賞応募情報を受け付ける。
【００９０】
ステップＳ４０５：ユーザ情報抽出部としての制御部６１は、抽選ＤＢ７１を参照して、懸賞情報と共にステップＳ４０３で対応付けられた懸賞応募番号およびユーザ情報の一部を抽出する。なお、制御部６１は、ユーザ情報の一部として個人を特定できないペンネームや視聴地域などを抽出し、個人情報となる氏名、住所等は抽出しない。なお、制御部６１は、ユーザ情報の一部を抽出しなくてもよい。制御部６１は、ステップＳ４０５の処理が完了すると、ステップＳ４０６の処理へ移行する。
【００９１】
ステップＳ４０６：懸賞応募情報送信部としての制御部６１は、ステップＳ４０５で抽出した懸賞応募番号およびユーザ情報の一部を放送送信装置１１に対して送信して懸賞応募情報受付処理を終了する（ＥＮＤ）。なお、制御部６１は、ユーザ情報の一部を抽出しない場合には、放送送信装置１１に対して懸賞応募番号のみを送信するようにしてもよい。
【００９２】
このような処理とすることで、情報配信システム１を利用するユーザの個人情報を放送局１０側へすべて開示しなくとも、ユーザは懸賞へ応募することができる。また、放送局１０側も懸賞に応募してきたユーザの個人情報をすべて取得することなく、懸賞を実施できるため、懸賞へ応募してきたユーザの個人情報管理を行わなくともよい。また、この懸賞に応募するユーザは、自分の個人情報が不必要に漏洩することなく、安心して懸賞に応募することができるようになる。
【００９３】
１−２−５．抽選処理
つづいて、放送局サーバ６０からの懸賞応募情報の送信を受けて、放送送信装置１１が行う抽選処理について説明する。図１５は、図２に示す放送送信装置１１の抽選処理のフローチャートである。
【００９４】
ＳＴＡＲＴ：制御部１２は、電源がＯＮになる、または当該抽選処理モードが選択されると抽選処理を開始する。制御部１２は、抽選処理が開始されるとステップＳ５０１の処理へ移行する。
【００９５】
ステップＳ５０１：制御部１２は、放送局サーバ６０から懸賞応募情報を受信したか否かを判定する。なお、懸賞応募情報とは、図８で説明した懸賞応募番号およびユーザ情報の一部のことである。制御部１２は、放送局サーバ６０から懸賞応募情報を受信した場合（ステップＳ５０１でＹＥＳ）には、ステップＳ５０２の処理へ移行し、受信しない場合（ステップＳ５０１でＮＯ）には、ステップＳ５０１の判定処理を繰り返す。
【００９６】
ステップＳ５０２：制御部１２は、ステップＳ５０１で受信した懸賞応募番号に基づいて抽選処理を行う。なお、抽選処理は、たとえば当選者数分の懸賞応募番号をランダムに抽出するなどして行う。制御部１２は、ステップＳ５０２の処理が完了すると、ステップＳ５０３の処理へ移行する。
【００９７】
ステップＳ５０３：制御部１２は、ステップＳ５０２で抽出した懸賞応募番号を放送局サーバ６０へ供給して抽選処理を終了する（ＥＮＤ）。
【００９８】
このような処理とすることで、懸賞実施側である放送送信装置１１では、応募者を特定することができないため、恣意的に当選者を決定するなどの不正行為をすることができず、公平な抽選を行うことができる。また、懸賞実施側である放送送信装置１１では、個人を特定できない情報しか取得しないため、応募者の個人情報を管理しなくても、懸賞を容易に実施することができる。
【００９９】
１−２−６．懸賞抽選結果通知処理
続いて、図１５の抽選処理結果を受信した放送局サーバ６０が行う懸賞抽選結果通知処理について説明する。図１６は、図１に示す放送局サーバ６０の懸賞抽選結果通知処理のフローチャートである。
【０１００】
ＳＴＡＲＴ：制御部６１は、電源がＯＮになる、または当該懸賞抽選結果通知処理モードが選択されると懸賞抽選結果通知処理を開始する。制御部１２は、懸賞抽選結果通知処理が開始されると、ステップＳ６０１の処理へ移行する。
【０１０１】
ステップＳ６０１：制御部６１は、当選者の懸賞応募番号を受信したか否かを判定する。制御部６１は、当選者の懸賞応募番号を受信した場合（ステップＳ６０１でＹＥＳ）には、ステップＳ６０２の処理へ移行し、受信しない場合（ステップＳ６０１でＮＯ）には、ステップＳ６０１の判定処理を繰り返す。
【０１０２】
ステップＳ６０２：懸賞当選者特定部としての制御部６１は、懸賞商品情報ＤＢ７０を参照して、ステップＳ６０１で受信した懸賞応募番号から当選したユーザを特定する。制御部６１は、当選したユーザが特定されると、ステップＳ６０３の処理へ移行する。
【０１０３】
ステップＳ６０３：当落結果通知部としての制御部６１は、当選したユーザおよび当選しなかったユーザに対して当落結果をＩＰ通信網８０を介してそれぞれ通知する。図１７は、図３に示す表示装置５０で表示される当選結果通知画面例である。図１７に示すように、画面右側の表示領域に当選した旨のメッセージが表示される。制御部６１は、当落結果を応募者へ通知すると、ステップＳ６０４の処理へ移行する。
【０１０４】
ステップＳ６０４：制御部６１は、当選者に対して懸賞商品の発送処理を行って処理を終了する（ＥＮＤ）。具体的には、当選者の懸賞応募用ユーザ情報から住所、氏名を検索し、当該宛先に対して懸賞商品を発送するように処理を行う。なお、懸賞商品が楽曲、動画、静止画等の電子情報である場合には、ステップＳ６０３の抽選結果通知時に当該電子情報を併せて送信するようにしてもよい。
【０１０５】
このような処理とすることで、放送送信装置１１から送信される抽選結果に基づいて容易に懸賞の当選者を特定すると共に、当落結果を応募者すべてに通知することができる。
【０１０６】
２．他の実施形態
以上、情報配信システム１を本発明の実施形態例として説明したが、本発明は、これに限定されるものではなく、発明の要旨を逸脱しない範囲において種々の変形や変更が可能である。
【０１０７】
たとえば、情報配信システム１では、放送送信装置１１から懸賞情報を含むＥＰＧ情報を配信しているが、放送局サーバ６０から懸賞情報を含むＥＰＧ情報を配信するようにしてもよい。また、放送送信装置１１において、ＥＰＧ情報と懸賞情報を別々のデータとして放送波に重畳して送出するようにしてもよい。
【０１０８】
また、上述した実施形態に係る情報配信システム１で説明した放送送信装置１１、放送受信装置３０、放送局サーバ６０それぞれの各部の機能すべてまたは一部をプログラムによって構成し、このプログラムを情報処理装置（コンピュータ）にインストールすることでそれぞれを実現してもよい。なお、このプログラムを実行可能な状態で記録した媒体からコンピュータに直接インストールすることも可能であるが、ネットワーク経由で遠隔にあるコンピュータにインストールしてもよい。
【符号の説明】
【０１０９】
１  情報配信システム（懸賞応募受付システム）、１０  放送局、１１  放送送信装置、１２  制御部、１３  コンテンツストリーム作成部、１４  ＥＰＧ情報作成部、１５  データ放送作成部、１６  ＭＵＸ部、１７  放送用コンテンツＤＢ、１８  放送スケジュールＤＢ、１９  データ放送用コンテンツＤＢ、２０  抽選処理部、２１  ネットワーク接続部、３０  放送受信装置、３１  操作入力部、３２  制御部、３３  チューナー、３４  ＤＥＭＵＸ部、３５  デコード部、３６  映像音声出力部、３７  記録部、３８  ネットワーク接続部、３９  ネットワーク情報デコード部、４０  ユーザ情報記憶部、５０  表示装置、５１  音声再生装置、６０  放送局サーバ（懸賞応募受付装置）、６１  制御部（懸賞関連情報記憶部、懸賞応募情報受信部、申し込み期間判定部、懸賞応募受付部、懸賞応募情報送信部、ユーザ情報抽出部、懸賞当選者特定部、当落結果通知部）、６２  コンテンツストリーム作成部、６３  配信要求受付部、６４  ユーザ情報管理部、６５  コンテンツデータ配信部、６６  ＥＰＧ情報作成部、６７  サーバ放送用ＥＰＧ情報作成部、６８  コンテンツＤＢ、６９  放送スケジュールＤＢ、７０  懸賞商品情報ＤＢ、７１  抽選ＤＢ、７２  ネットワーク接続部、８０  ＩＰ通信網（他の通信手段） 
【図１】
2010206309.tif 000003
【図２】
2010206309.tif 000004
【図３】
2010206309.tif 000005
【図４】
2010206309.tif 000006
【図５】
2010206309.tif 000007
【図６】
2010206309.tif 000008
【図７】
2010206309.tif 000009
【図８】
2010206309.tif 000010
【図９】
2010206309.tif 000011
【図１０】
2010206309.tif 000012
【図１１】
2010206309.tif 000013
【図１２】
2010206309.tif 000014
【図１３】
2010206309.tif 000015
【図１４】
2010206309.tif 000016
【図１５】
2010206309.tif 000017
【図１６】
2010206309.tif 000018
【図１７】
2010206309.tif 000019